(57)【要約】【課題】ＰＣは所持していないが、デジタルカメラは所持しているユーザがメモリカード内の画像データを簡単に保存し、また、保存された画像データを簡単に検索し、所望の画像データを印刷することが可能なダイレクトプリンタを提供することを目的とする。【解決手段】画像データを格納する記憶媒体を装着する装着部と、前記装着部を介して入力される画像データを処理する処理手段と、ユーザにより操作されて命令及びデータを入力するための操作部と、前記操作部による設定に基づきプリントする出力手段と、大容量記憶装置との接続端子を所持することにより、メモリカード内画像データの保存・印刷を可能にする。【選択図】        図１
2004358723.tif 000002
【特許請求の範囲】
【請求項１】
画像データを格納する記憶媒体を装着する装着部と、前記装着部を介して入力される画像データを処理する処理手段と、ユーザにより操作されて命令及びデータを入力するための操作部と、前記操作部による設定に基づきプリントする出力手段と、大容量記憶装置との接続端子を所持していることを特徴とするダイレクトプリンタ装置。
【請求項２】
請求項１におけるダイレクトプリンタは記憶媒体内に格納された画像データを大容量記憶装置に保存する機能を所持していることを特徴とするダイレクトプリンタ装置。
【請求項３】
請求項１におけるダイレクトプリンタは大容量記憶装置内に保存された画像データを印刷する機能を所持していることを特徴とするダイレクトプリンタ装置。
【請求項４】
請求項２におけるダイレクトプリンタにおける大容量記憶装置への画像データ保存は日付毎のファイルディレクトリ構造であることを特徴とするダイレクトプリンタ装置。
【請求項５】
請求項２におけるダイレクトプリンタにおける大容量記憶装置への保存は、前記操作部において保存名をユーザが入力する機能を所持していることを特徴とするダイレクトプリンタ装置。
【請求項６】
請求項５におけるダイレクトプリンタにおける大容量記憶装置への保存は、前記操作部において入力された保存名毎のファイルディレクトリ構造であることを特徴とするダイレクトプリンタ装置。
【請求項７】
請求項３におけるダイレクトプリンタにおける大容量記憶装置からのインデックスプリントは保存日付毎に代表画像を印刷する機能を所持することを特徴とするダイレクトプリンタ装置。
【請求項８】
請求項３におけるダイレクトプリンタにおける大容量記憶装置からのプリントは、前記操作部において保存名をユーザが選択することによりプリントすることを特徴とするダイレクトプリンタ。
【発明の詳細な説明】
【０００１】
【発明の属する技術分野】
本発明はデジタルカメラの撮像結果や不揮発性記憶媒体に格納された画像データをプリンタに直接入力し、出力画像を得ることが可能なダイレクトプリンタに関する。
【０００２】
【従来の技術】
近年、一般家庭におけるパーソナルコンピュータ（以下ＰＣと呼称する）の普及は目覚ましく、ＰＣの普及と共に画像入力機器として高解像度のデジタルカメラと、画像出力機器としてインクジェットプリンタ等のプリンタが普及している。ユーザはデジタルカメラからの画像データをＰＣに入力し、ＰＣモニタに画像表示し所望の画像を選んでプリンタにより印刷する方法をとっている。
【０００３】
一方で、一般家庭においてＰＣは所持していないが、デジタルカメラは所持している、といったケースも多々あり、このような場合においてユーザは画像出力機器として昇華型、あるいはインクジェット方式によるダイレクトプリンタを購入することにより、デジタルカメラから画像データが入力されているメモリカードを取りだし、ダイレクトプリンタにメモリカードを挿入し、ダイレクトプリンタ個々の方法により印刷を行っている。
【０００４】
特開平１０−２００８３９号公報には、画像データを取り込んで高品質の画像をプリンタに直接出力でき、且つ操作性に優れた印刷画像選択と焼き増し枚数の指定を実現した画像選択方式が開示されている。
【０００５】
又、特開２０００−３３５０２３号公報には、記憶装置内に保存された画像データをＴＶモニタ等を参照して選択・プリントできるプリンタ及びプリント方法が記載されている。
【０００６】
【発明が解決しようとする課題】
ところで、コンパクトフラッシュ（登録商標）等のデジタルカメラ用メモリカードは安価でないため、フィルムカメラのフィルムのように消耗品としていくつも所持しているユーザは希である。
【０００７】
また、メモリカード容量も限られているので、何枚か撮影し容量が満たされると、ＰＣを所持しているユーザは、撮影した画像データをＰＣのハードディスクや、ＰＣに備えられた磁気ディスク式記録媒体等にバックアップをとることができ、こうすることで、たとえば１つのメモリカードのみを用いて、何枚でもデジタル画像の撮影が可能となる。
【０００８】
しかし、ＰＣを所持していないユーザは撮影した画像をダイレクトプリンタ等で印刷後、メモリカードの内容を消去しなければならず、画像データの保存を行うことが困難である。
【０００９】
本発明はこのようにＰＣは所持していないが、デジタルカメラは所持しているユーザがメモリカード内の画像データを簡単に保存し、また、保存された画像データを簡単に検索し、所望の画像データを印刷することが可能なダイレクトプリンタを提供する。
【００１０】
【課題を解決するための手段】
本発明におけるダイレクトプリンタ装置は、画像データを格納する記憶媒体を装着する装着部と、前記装着部を介して入力される画像データを処理する処理手段と、ユーザにより操作されて命令及びデータを入力するための操作部と、前記操作部による設定に基づきプリントする出力手段と、大容量記憶装置との接続端子を所持することにより、メモリカード内画像データの保存・印刷が可能である。
【００１１】
詳しくは、画像データ保存の場合、ユーザの保存指示日付毎のファイルディレクトリ構造で大容量記憶装置に保存し、大容量記憶装置からの画像データ印刷時のインデックスプリントは保存日付毎に代表画像を印刷することで、大容量記憶装置へ大量に保存される画像データの整理・検索が可能である。
【００１２】
また、別の手段として、前記操作部において保存名をユーザが入力する機能により、ユーザ任意の保存名毎のファイルディレクトリ構造で大容量記憶装置に保存し、大容量記憶装置からのプリントは、前記操作部において保存名をユーザが選択することにより印刷することで、大容量記憶装置へ大量に保存される画像データの整理・検索が更に簡単に提供することが可能である。
【００１３】
【発明の実施の形態】
図１は、本発明の実施の形態に係るダイレクトプリンタ装置１０００の概観斜視図である。このダイレクトプリンタは、ＰＣからデータを受信して印刷する、通常のＰＣプリンタとしての機能と、メモリカードなどの記憶媒体に記憶されている画像データを直接読取って印刷する機能と、画像データを保管可能な大容量記憶装置を接続可能な機能を備えている。
【００１４】
図１において、本実施の形態に係るダイレクトプリンタ装置１０００の外殻をなす本体は、下ケース１００１、上ケース１００２、アクセスカバー１００３及び排出トレイ１００４の外装部材を有している。また、下ケース１００１は、装置１０００の略下半部を、上ケース１００２は本体の略上半部をそれぞれ形成しており、両ケースの組合せによって内部に後述の各機構を収納する収納空間を有する中空体構造をなし、その上面部及び前面部にはそれぞれ開口部が形成されている。さらに、排出トレイ１００４は、その一端部が下ケース１００１に回転自在に保持され、その回転によって下ケース１００１の前面部に形成される開口部を開閉させ得るようになっている。このため、記録動作を実行させる際には、排出トレイ１００４を前面側へと回転させて開口部を開成させることにより、ここから記録シートが排出可能となると共に、排出された記録シートを順次積載し得るようになっている。また、排紙トレイ１００４には、２枚の補助トレイ１００４ａ，１００４ｂが収納されており、必要に応じて各トレイを手前に引き出すことにより、用紙の支持面積を３段階に拡大、縮小させ得るようになっている。
【００１５】
アクセスカバー１００３は、その一端部が上ケース１００２に回転自在に保持され、上面に形成される開口部を開閉し得るようになっており、このアクセスカバー１００３を開くことによって本体内部に収納されている記録ヘッドカートリッジ（不図示）あるいはインクタンク（不図示）等の交換が可能となる。なお、ここでは特に図示しないが、アクセスカバー１００３を開閉させると、その裏面に形成された突起がカバー開閉レバーを回転させるようになっており、そのレバーの回転位置をマイクロスイッチなどで検出することにより、アクセスカバーの開閉状態を検出し得るようになっている。
【００１６】
また、上ケース１００２の上面には、電源キー１００５が押下可能に設けられている。
【００１７】
また、上ケース１００２の右側には、液晶表示部１００６や各種キースイッチ等を備える操作パネル１０１０が設けられている。この操作パネル１０１０の構造は、図２を参照して詳しく後述する。１００７は自動給送部で、記録シートを装置本体内へと自動的に給送する。１００８は紙間選択レバーで、プリントヘッドと記録シートとの間隔を調整するためのレバーである。１００９はカードスロットで、ここにメモリカードを装着可能なアダプタが挿入され、このアダプタを介してメモリカードに記憶されている画像データを直接取り込んで印刷することができる。このメモリカードとしては、例えばコンパクトフラッシュ（登録商標）メモリ、スマートメディア、メモリスティック等がある。１０１１はビューワ（液晶表示部）で、この装置本体に着脱可能であり、メモリカードに記憶されている画像の中からプリントしたい画像を検索する場合などに、１コマ毎の画像やインデックス画像などを表示するのに使用される。１０１２は後述する大容量記憶装置を接続するための端子であり、１０１３は、ＰＣを接続するためのＵＳＢバスコネクタを示す。
【００１８】
図２は、本実施の形態に係る操作パネル１０１０の概観図である。
【００１９】
図２において、液晶表示部１００６には、その左右に印刷されている項目に関するデータを各種設定するためのメニュー項目が表示される。ここに表示される項目としては、印刷したい範囲の先頭写真番号〜指定コマ番号（開始／−指定）〜印刷を終了した範囲の最後の写真番号（終了）、印刷部数（部数）、印刷に使用する用紙（記録シート）の種類（用紙種類）、１枚の用紙に印刷する写真の枚数設定（レイアウト）、印刷の品位の指定（品位）、撮影した日付を印刷するかどうかの指定（日付印刷）、写真を補正して印刷するかどうかの指定（画像補正）、印刷に必要な用紙枚数の表示（用紙枚数）等がある。これら各項目は、カーソルキー２００１を用いて選択、或いは指定される。２００２はモードキーで、このキーを押下する毎に、印刷の種類（インデックス印刷、全コマ印刷、１コマ印刷等）を切り替えることができ、これに応じてＬＥＤ２００３の対応するＬＥＤが点灯される。２００４はメンテナンスキーで、プリントヘッドのクリーニング等、プリンタのメンテナンスを行わせるためのキーである。２００５は印刷開始キーで、印刷の開始を指示する時、或いはメンテナンスの設定を確立する際に押下される。２００６は印刷中止キーで、印刷を中止させる時や、メンテナンスの中止を指示する際に押下される。２００７は大容量記憶装置モードキーで、ダイレクトプリンタ装置１０００に接続した大容量記憶装置３０１２へのアクセスを許可するキーである。ここで、大容量記憶装置とは、光ディスク式記録媒体、光磁気ディスク式記録媒体、磁気ディスク式記録媒体、磁気テープ式記録媒体等の装置を指し示す。２００８は保存キーであり、メモリカード内の画像データを大容量記憶装置３０１２に保存する際に使用する。
【００２０】
次に図３を参照して、本実施の形態に係るダイレクトプリンタ装置の制御に係る主要部の構成を説明する。尚、この図３において、前述の図面と共通する部分は同じ記号を付与して、それらの説明を省略する。
【００２１】
図３において、３０００は制御部（制御基板）を示している。３００１はＡＳＩＣ（専用カスタムＬＳＩ）を示し、その構成は図４のブロック図を参照して詳しく後述する。
【００２２】
３００２はＣＰＵで、内部にＤＳＰ（デジタル信号処理プロセッサ）を有し、後述する各種制御処理及び、輝度信号（ＲＧＢ）から濃度信号（ＣＭＹＫ）への変換、スケーリング、ガンマ変換、誤差拡散等の画像処理等を担当している。３００３はメモリで、ＣＰＵ３００２のＣＰＵの制御プログラムを記憶するプログラムメモリ３００３ａ、及び実行時のプログラムを記憶するＲＡＭエリア，画像データなどを記憶するワークメモリとして機能するメモリエリアを有している。３００４はプリンタエンジンで、ここでは、複数色のカラーインクを用いてカラー画像を印刷するインクジェットプリンタのプリンタエンジンが搭載されている。３００５は大容量記憶装置３０１２を接続するためのポートとしてのＵＳＢバスコネクタである。３００６はビューワ１０１１を接続するためのコネクタである。
【００２３】
３００８はＵＳＢバスハブ（ＵＳＢ  ＨＵＢ）で、このプリンタ装置１０００がＰＣ３０１０からの画像データに基づいて印刷を行う際には、ＰＣ３０１０からのデータをそのままスルーし、ＵＳＢバス３０２１を介してプリンタエンジン３００４に出力する。これにより、接続されているＰＣ３０１０は、プリンタエンジン３００４と直接、データや信号のやり取りを行って印刷を実行することが出来る（一般的なＰＣプリンタとして機能する）。３００９は電源コネクタで、電源３０１３により、商用ＡＣから変換された直流電圧を入力している。ＰＣ３０１０は一般的なパーソナルコンピュータ、３０１１は前述したメモリカード、３０１２は大容量記憶装置である。
【００２４】
尚、この制御部３０００とプリンタエンジン３００４との間の信号のやり取りは、前述したＵＳＢバス３０２１又はＩＥＥＥ１２８４バス３０２２を介して行われる。
【００２５】
図４は、ＡＳＩＣ３００１の構成を示すブロック図で、この図４においても、前述の図面と共通する部分は同じ記号を付与して、それらの説明を省略する。
【００２６】
４００１はメモリカードインターフェース部で、装着されたメモリカード３０１１に記憶されている画像データを読み取ったり、或いはメモリカード３０１１へのデータの書き込み等を行う。４００２はＩＥＥＥ１２８４インターフェース部で、プリンタエンジン３００４との間のデータのやり取りを行う。このＩＥＥＥ１２８４インターフェース部は、大容量記憶装置３０１２或いはメモリカード３０１１に記憶されている画像データを印刷する場合に使用されるバスである。４００３はＵＳＢインターフェース部で、ＰＣ３０１０との間でのデータのやり取りを行う。４００４はＵＳＢホストインターフェース部で、大容量記憶装置３０１２との間でのデータのやり取りを行う。４００５は操作パネルインターフェース部で、操作パネル１０１０からの各種操作信号を入力したり、表示部１０
０６への表示データの出力などを行う。４００６はビューワインターフェース部で、ビューワ１０１１への画像データの表示を制御している。４００７は各種スイッチやＬＥＤ４００９等との間のインターフェースを制御するインターフェース部である。４００８はＣＰＵインターフェース部で、ＣＰＵ３００２との間でのデータのやり取りの制御を行っている。４０１０はこれら各部を接続する内部バス（ＡＳＩＣバス）である。
【００２７】
以上の構成に基づく動作概要を以下に説明する。
【００２８】
＜通常のＰＣプリンタモード＞
これはＰＣ３０１０から送られてくる印刷データに基づいて画像を印刷するプリントモードである。
【００２９】
このモードでは、ＰＣ３０１０からのデータがコネクタ１０１３を介して入力されると、ＵＳＢバスハブ３００８、ＵＳＢバス３０２１を介して直接プリンタエンジン３００４に送られ、ＰＣ３０１０からのデータに基づいて印刷が行われる。
【００３０】
＜メモリカードからの直接プリントモード＞
メモリカード３０１１がカードスロット１０１３に装着或いは脱着されると割り込みが発生し、これによりＣＰＵ３００２はメモリカード３０１１が装着されたか或いは脱着（取り外された）されたかを検知できる。メモリカード３０１１が装着されると、そのメモリカード３０１１に記憶されている圧縮された（例えばＪＰＥＧ圧縮）画像データを読込んでメモリ３００３に記憶する。その後、その圧縮された画像データを解凍して再度メモリ３００３に格納する。次に、操作パネル１０１０を使用して、その格納した画像データの印刷したい範囲指定、印刷部数、印刷に使用する用紙の種類等の印刷指示がされると、ＲＧＢ信号からＹＭＣＫ信号への変換、ガンマ補正、誤差拡散等を実行してプリンタエンジン３００４で印刷可能な記録データに変換し、ＩＥＥＥ１２８４インターフェース部４００２を介してプリンタエンジン３００４に出力することにより印刷を行う。
【００３１】
以下、以上の構成に基づく本実施の形態に係るダイレクトプリンタ装置１０００における、特に大容量記憶装置３０１２に関する処理を以下に述べる。
【００３２】
＜実施例１＞
図５は本発明における大容量記憶装置３０１２をダイレクトプリンタ装置１０００に装着しメモリカードに記録された画像データの保存、印刷を行う際のフローチャートである。
【００３３】
大容量記憶装置３０１２をダイレクトプリンタ装置１０００に装着されると（ステップＳ５１）、大容量記憶装置装着フラグがＯＮになる（ステップＳ５２）。
また、大容量記憶装置３０１２をダイレクトプリンタ装置１０００から着脱すると大容量記憶装置装着フラグがＯＦＦになり、大容量記憶装置３０１２に関する機能は全て無効になる（ステップＳ５１３）。
【００３４】
大容量記憶装置装着フラグがＯＮの後、大容量記憶装置モードキー２００７が押下されると大容量記憶装置３０１２へのアクセスを許可する（ステップＳ５３）。
【００３５】
＜大容量記憶装置への画像データ保存の場合＞
大容量記憶装置３０１２への画像データ保存を行う場合、ユーザはまず、保存キー２００７を押下する（ステップＳ５４）。
【００３６】
保存キー２００７が押下されると、ダイレクトプリンタ装置１０００はメモリカードが装着されていることを確認する（ステップＳ５５）。
【００３７】
その後、ユーザは操作パネル１０１０における（開始／−指定〜終了）項目において、カーソル２００１により保存したい画像指定を行い（ステップＳ５６）、再度、保存キー２００７を押下する（ステップＳ５７）。
【００３８】
保存キー２００７が押下されると、ダイレクトプリンタ装置１０００は３０１１内の指定された画像データを内部バス４０１０を介して大容量記憶装置３０１２へ転送する。
【００３９】
この保存動作において、本発明のフォトダイレクトプリンタ装置１０００においては保存キーが押下された日時毎のディレクトリ構造下に、通し番号を付加して、画像データを保存する（ステップＳ５８）。
【００４０】
＜大容量記憶装置からの印刷の場合＞
大容量記憶装置３０１２からの印刷を行う場合、ユーザはまず、印刷開始キー２００５を押下する（ステップＳ５９）。
【００４１】
その後、ユーザは操作パネル１０１０における（開始／−指定〜終了）項目において、カーソル２００１により印刷したい画像指定や、用紙種類等の設定を行い（ステップＳ５１０）、再度、印刷開始キー２００５を押下する（ステップＳ５１１）。印刷開始キー２００５が押下されると、大容量記憶装置３０１２に保存されている指定された画像データを、前記した＜メモリカードからの直接プリント＞と同様の動作によりプリント処理を行う（ステップＳ５１２）。
【００４２】
このプリント処理において、通常画像データの指定を行う際、インデックスプリントを行い、記憶媒体内における全ての画像データをＭ＊Ｎサイズ（Ｍ，Ｎは任意）にて印刷された記録媒体をユーザが閲覧し、所望の画像データ指定を行うが、大容量記憶媒体の場合は記憶できる画像データが大量にあり、全ての画像データをインデックスプリントしても、その大量の画像データから所望の画像データを検索することは極めて困難である。
【００４３】
そこで、本発明のダイレクトプリンタ装置１０００においては大容量記憶装置３０１２内における画像データの指定を行う際、インデックスプリントを行うと、大容量記憶装置３０１２内にて日付毎に保存されている画像データを図６のように、先頭から数枚、後ろから数枚を通し番号と共に印刷する機能になっており、ユーザは前記インデックスプリントされた記録媒体を閲覧し、所望の画像データは何時保存したものか予測することができる。
【００４４】
次に、前記インデックスプリントされた記録媒体に記録されている画像データ番号を操作パネル１０１０における（開始／−指定〜終了）項目において、カーソル２００１により画像指定を行い、更にインデックスプリントさせて所望の画像データを検索する、あるいは所望の画像データのプリント処理を行わせることができる。
【００４５】
以上により、デジタルカメラ等で撮影した画像データをユーザが簡単に大容量記憶装置３０１２へ所望の画像データを保存することができ、また、大容量記憶装置３０１２内にて大量に保存されている画像データからユーザが所望のプリント処理を行わせる指示を提供することができる。
【００４６】
＜実施例２＞
実施例２においては実施例１における大容量記憶装置３０１２への保存、大容量記憶装置３０１２からのプリントを更に分かり易い機能により提供することを目的としている。
【００４７】
図７は実施例２における操作パネル１０１０を示している。図２との差異はメモリカード３０１１内における画像データを保存する際に、保存名を入力できる項目７００１を追加した点であり、その他の機能は操作パネル１０１０と同様である。
【００４８】
操作パネル１０１０は、画像データを保存する場合は、保存名入力項目７００１へ、カーソル１００１の上下ボタンを押下する毎にカタカナ（５０音順）、英数字（０〜９，アルファベット）、特殊記号（濁点等）を選択され、左右ボタンにより１６文字まで入力が可能になっている。
【００４９】
また、大容量記憶装置３０１２に既に保存されている画像データを印刷する場合は、保存名入力項目７００１へ、保存名を表示し、カーソル７００１において保存名表示を切り替える事ができる機能になっている。
【００５０】
図８は本発明における大容量記憶装置３０１２をダイレクトプリンタ装置１０００に装着しメモリカード３０１１に記録された画像データの保存、印刷を行う際のフローチャートである。
【００５１】
大容量記憶装置３０１２をダイレクトプリンタ装置１０００に装着されると（ステップＳ８１）、大容量記憶装置装着フラグがＯＮになる（ステップＳ８２）。
また、大容量記憶装置３０１２をダイレクトプリンタ装置１０００から着脱すると大容量記憶装置装着フラグがＯＦＦになり、大容量記憶装置３０１２に関する機能は全て無効になる（ステップＳ８１４）。
【００５２】
大容量記憶装置装着フラグがＯＮの後、大容量記憶装置モードキー２００７が押下されると大容量記憶装置３０１２へのアクセスを許可する（ステップＳ８３）。
【００５３】
＜大容量記憶装置への画像データ保存の場合＞
大容量記憶装置３０１２への画像データ保存を行う場合、ユーザはまず、保存キー２００７を押下する（ステップＳ８４）。
【００５４】
保存キー２００７が押下されると、ダイレクトプリンタ装置１０００はメモリカードが装着されていることを確認する（ステップＳ８５）。
【００５５】
その後、ユーザは操作パネル１０１０における（開始／−指定〜終了）項目において、カーソル２００１により保存したい画像指定を行い（ステップＳ８６）、図９のように、カーソル２００１を用いて保存名入力項目７００１に任意の保存名を選択入力し（ステップＳ８７）、再度保存キー２００７を押下する（ステップＳ８８）。保存キー２００７が押下されると、ダイレクトプリンタ装置１０００はメモリカード３０１１内の指定された画像データを内部バス４０１０を介して大容量記憶装置３０１２へ転送する（ステップＳ８９）。
【００５６】
この保存動作において、本発明のフォトダイレクトプリンタ装置１０００においては保存キーが押下された日時、保存名毎のディレクトリ構造下に通し番号を付加して、画像データを保存する。
【００５７】
＜大容量記憶装置からのプリントの場合＞
大容量記憶装置３０１２からのプリントを行う場合、ユーザはまず、印刷開始キー２００５を押下する（ステップＳ８１０）。
【００５８】
その後、ユーザは操作パネル１０１０における（開始／−指定〜終了）項目において、カーソル２００１によりプリントしたい画像指定や、用紙種類等の設定を行い（ステップＳ８１１）、再度、印刷開始キー２００５を押下する（ステップＳ８１２）。
【００５９】
印刷開始キー２００５が押下されると、大容量記憶装置３０１２に保存されている指定された画像データを、前記した＜メモリカードからの直接プリント＞と同様の動作によりプリント処理を行う（ステップＳ８１０）。
【００６０】
このプリント処理において、通常画像データの指定を行う際、インデックスプリントを行い、記憶媒体内における全ての画像データをＭ＊Ｎサイズ（Ｍ，Ｎは任意）にて印刷された記録媒体をユーザが閲覧し、所望の画像データ指定を行うが、大容量記憶媒体の場合は記憶できる画像データが大量にあり、全ての画像データをインデックスプリントしても、その大量の画像データから所望の画像データを検索することは極めて困難である。
【００６１】
そこで、本発明のダイレクトプリンタ装置１０００においてはステップＳ８１０動作後、保存名入力項目７００１に大容量記憶装置３０１２内に保存されている画像データの保存名を表示する。ユーザは図１０のようにカーソル２００１を用いて保存名入力項目７００１に任意の保存名を選択し、インデックスプリントさせて所望の画像データを検索して、所望の画像データのプリント処理を行わせることができる。
【００６２】
【発明の効果】
以上により、デジタルカメラ等で撮影した画像データをユーザが簡単に大容量記憶装置３０１２へ所望の画像データを所望の題名付きで保存することができ、またこれにより、大容量記憶装置３０１２内にて大量に保存されている画像データからユーザが所望のプリント処理を行わせる指示を短時間で提供することができる。
【図面の簡単な説明】
【図１】本発明の実施の形態に係るダイレクトプリンタ装置の概観斜視図である。
【図２】本発明の実施の形態に係るダイレクトプリンタ装置の操作パネルの概観図である。
【図３】本発明の実施の形態に係るダイレクトプリンタ装置の制御に係る主要部の構成を示すブロック図である。
【図４】本発明の実施の形態に係るダイレクトプリンタ装置のＡＳＩＣの構成を示すブロック図である。
【図５】第１の実施の形態に係るダイレクトプリンタ装置と大容量記憶装置が接続された状態における、ダイレクトプリンタ装置動作のフローチャートである。
【図６】第１の実施の形態に係るダイレクトプリンタ装置と大容量記憶装置が接続された状態における、インデックスプリントの一例である。
【図７】第２の実施の形態に係るダイレクトプリンタ装置の操作パネル概観図である。
【図８】第２の実施の形態に係るダイレクトプリンタ装置と大容量記憶装置が接続された状態における、ダイレクトプリンタ装置動作のフローチャートである。
【図９】第２の実施の形態に係るダイレクトプリンタ装置と大容量記憶装置が接続された状態における、保存名入力の一例である。
【図１０】第２の実施の形態に係るダイレクトプリンタ装置と大容量記憶装置が接続された状態における、保存名選択の一例である。
【符号の説明】
１０００  ダイレクトプリンタ装置
１００１  下ケース
１００２  上ケース
１００３  アクセスカバー
１００４  排出トレイ
１００４ａ，１００４ｂ  補助トレイ
１００５  電源キー
１００６  液晶表示部
１００７  自動給送部
１００８  紙間選択レバー
１００９  カードスロット
１０１０  操作パネル
１０１１  ビューワ
１０１２  大容量記憶装置接続端子
１０１３  ＰＣ接続端子
２００１  カーソルキー
２００２  モードキー
２００３  ＬＥＤ
２００４  メンテナンスキー
２００５  印刷開始キー
２００６  印刷中止キー
２００７  大容量記憶装置モードキー
２００８  保存キー
３０００  制御部
３００１  ＡＳＩＣ
３００２  ＣＰＵ
３００３  メモリ
３００３ａ  プログラムメモリ
３００４  プリンタエンジン
３００５  ＵＳＢバスコネクタ
３００６  ビューワ接続コネクタ
３００７  操作パネル接続コネクタ
３００８  ＵＳＢハブ
３００９  電源コネクタ
３０１０  ＰＣ
３０１１  メモリカード
３０１２  大容量記憶装置
３０１３  電源
３０２１  ＵＳＢバス
３０２２  ＩＥＥＥ１２８４バス
４００１  メモリカードインターフェース部
４００２  ＩＥＥＥ１２８４インターフェース部
４００３  ＵＳＢインターフェース部
４００４  ＵＳＢホストインターフェース部
４００５  操作パネルインターフェース部
４００６  ビューワインターフェース部
４００７  各種スイッチインターフェース部
４００８  ＣＰＵインターフェース部
４００９  各種スイッチ、ＬＥＤ等
４０１０  ＡＳＩＣバス
７００１  保存名入力項目
【図１】
2004358723.tif 000003
【図２】
2004358723.tif 000004
【図３】
2004358723.tif 000005
【図４】
2004358723.tif 000006
【図５】
2004358723.tif 000007
【図６】
2004358723.tif 000008
【図７】
2004358723.tif 000009
【図８】
2004358723.tif 000010
【図９】
2004358723.tif 000011
【図１０】
2004358723.tif 000012